【手続補正書】
【提出日】平成23年10月13日(2011.10.13)
【手続補正１】
【補正対象書類名】特許請求の範囲
【補正対象項目名】全文
【補正方法】変更
【補正の内容】
【特許請求の範囲】
【請求項１】
テレビ用メディアコンテンツ（１０６）でナビゲーション表示動作を開始する視聴者選択可能コマンドを受信する（３０２）ステップと、
前記テレビ用メディアコンテンツ（１０６）の異なるセグメント（１２２）にそれぞれ対応するシーン画像（１１２）のプログラムセグメント表示バー（１０８）を生成するステップ（３０４）であって、前記シーン画像（１１２）が前記プログラムセグメント表示バー（１０８）に表示されて前記テレビ用メディアコンテンツのシーケンスを示すステップであって、当該プログラムセグメント表示バー内のシーン画像が、テレビ用メディアコンテンツのセグメントを最適に表すビデオフレームから生成されるものと、
前記プログラムセグメント表示バー（１０８）からのシーン画像（１２０）の視聴者選択を受信するステップ（３１０）と、
前記選択されたシーン画像（１２０）に対応する前記テレビ用メディアコンテンツの前記セグメント（１２２）の開始部分（１２８）に移行するステップ（３１２）と、
前記選択されたシーン画像（１２０）に対応する前記テレビ用メディアコンテンツの前記セグメント（１２２）の前記開始部分（１２８）から表示用に前記メディアコンテンツ（１０６）をレンダリング（rendering）するステップ（３１４）と
を含む方法（３００）。
【請求項２】
前記シーン画像が選択可能であることを焦点（focus）が示すように前記シーン画像の間近（proximate）に前記焦点を位置付けるナビゲーション選択を受信するステップをさらに含む、請求項１に記載の方法。
【請求項３】
前記プログラムセグメント表示バーが、前記テレビ用メディアコンテンツに付属する広告に対応する広告画像をさらに含む、請求項１に記載の方法。
【請求項４】
前記広告画像の間近に焦点を位置付けるナビゲーション選択を受信するステップと、
前記広告画像の間近にある前記焦点の前記位置を認識するステップと、
前記選択された広告画像に対応する前記広告を取得するステップと、
全画面表示用に前記広告画像に対応する前記広告をレンダリングするステップと
をさらに含む、請求項３に記載の方法。
【請求項５】
前記広告画像の間近にある焦点の位置を認識するステップと、前記広告画像を全画面表示用にレンダリングすることを開始するステップとをさらに含む、請求項３に記載の方法。
【請求項６】
前記シーン画像の間近にある焦点の位置を認識するステップと、前記シーン画像を全画面表示用にレンダリングすることを開始するステップとをさらに含む、請求項1に記載の方法。
【請求項７】
前記テレビ用メディアコンテンツの表示を一時停止する一時停止（pause）コマンドとして前記視聴者選択可能コマンドが受信され、前記プログラムセグメント表示バーが表示用に生成され、それにより、一時停止された前記テレビ用メディアコンテンツの前記セグメントに対応する現在のシーン画像が前記プログラムセグメント表示バーに示されるようになる、請求項１に記載の方法。
【請求項８】
表示用にテレビ用メディアコンテンツ（２０８）を受信するように構成されたメディアコンテンツ入力部（２０６）と、
前記テレビ用メディアコンテンツ（２０８）の異なるセグメント（１２２）にそれぞれ対応するシーン画像（１１２）のプログラムセグメント表示バー（１０８）を生成するステップであって、前記シーン画像（１１２）が、前記プログラムセグメント表示バー（１０８）に表示されて前記テレビ用メディアコンテンツのシーケンスを示すように構成されているステップであって、当該プログラムセグメント表示バー内のシーン画像が、テレビ用メディアコンテンツのセグメントを最適に表すビデオフレームから生成されるものと、
異なる広告（１３８）にそれぞれ対応する広告画像（１１４）を含む前記プログラムセグメント表示バー（１０８）を生成するステップであって、前記広告画像（１１４）が、前記プログラムセグメント表示バー（１０８）に表示されて前記テレビ用メディアコンテンツ内の前記広告のシーケンスを示すように構成されているステップと、
前記プログラムセグメント表示バー（１０８）から視聴者によって選択されたシーン画像（１２０）に対応する前記テレビ用メディアコンテンツのセグメント（１２２）の開始部分（１２８）へ移行することを開始するステップと、
を行うように構成された表示バーアプリケーション（２２０）と、
前記選択されたシーン画像（１２０）に対応する前記テレビ用メディアコンテンツの前記セグメント（１２２）の前記開始部分（１２８）から表示用に前記テレビ用メディアコンテンツ（１０６）をレンダリングすることを開始するように構成されたデバイスマネージャー（２１６）と、
を備えるテレビ用クライアントデバイス（１０２）。
【請求項９】
前記デバイスマネージャーが、
前記プログラムセグメント表示バーからの広告画像の視聴者選択を受信し、
前記選択された広告画像に対応する前記広告を取得し、
前記広告画像の前記視聴者選択に応じて前記表示バーアプリケーションによって起動されたときに表示用に前記広告をレンダリングする
ようにさらに構成された、請求項８に記載のテレビ用クライアントデバイス。
【請求項１０】
前記表示バーアプリケーションが、前記シーン画像が選択可能であることを焦点が示すよう、前記シーン画像の間近に位置付けられ得る前記焦点を含む前記プログラムセグメント表示バーを生成するようにさらに構成された、請求項８に記載のテレビ用クライアントデバイス。
【請求項１１】
実行されたときに、
テレビ用メディアコンテンツ（１０６）の異なるセグメント（１２２）にそれぞれ対応し、プログラムセグメント表示バー（１０８）に表示されて前記テレビ用メディアコンテンツのシーケンスを示すシーン画像（１１２）と、異なる広告（１３８）にそれぞれ対応し、前記プログラムセグメント表示バー（１０８）に表示されて前記異なる広告が前記テレビ用メディアコンテンツのどこに付属しているかを示す広告画像（１１４）とを含む静止画像を有する前記プログラムセグメント表示バー（１０８）を生成するステップであって、当該プログラムセグメント表示バー内のシーン画像が、テレビ用メディアコンテンツのセグメントを最適に表すビデオフレームから生成されるものと、
静止画像（１１６）が選択可能であることを焦点（１５０）が示すよう、前記静止画像（１１６）の間近に位置付けられ得る前記焦点（１５０）を有する前記プログラムセグメント表示バー（１０８）を生成するステップと、
をテレビ用クライアントデバイス（１０２）に実施させるコンピューター実行可能命令（５１６）を備える１つまたは複数のコンピューター可読メディア（５１２）。
【請求項１２】
実行されたときに、
前記プログラムセグメント表示バーからのシーン画像の視聴者選択を受信するステップと、
前記選択されたシーン画像に対応する前記テレビ用メディアコンテンツの前記セグメントの開始部分に移行するステップと、
前記選択されたシーン画像に対応する前記テレビ用メディアコンテンツの前記セグメントの前記開始部分から表示用に前記テレビ用メディアコンテンツをレンダリングするステップと、
を行うように前記テレビ用クライアントデバイスに命令するコンピューター実行可能命令をさらに備える、請求項１１に記載の１つまたは複数のコンピューター可読メディア。
【請求項１３】
実行されたときに、前記プログラムセグメント表示バーからの広告画像の視聴者選択を受信するステップ、及び／又は、
表示用にレンダリングされる前記選択された広告画像に対応する前記広告を要求および取得するステップ、
を行うように前記テレビ用クライアントデバイスに命令するコンピューター実行可能命令をさらに備える、請求項１１に記載の１つまたは複数のコンピューター可読メディア。
【請求項１４】
実行されたときに、広告画像の間近にある前記焦点の位置を認識するステップと、
前記広告画像に対応する前記広告を取得するステップと、
前記広告画像に対応する前記広告を表示用にレンダリングすることを開始するステップと、
シーン画像の間近にある前記焦点の位置を認識するステップと、
前記シーン画像を全画面表示用にレンダリングすることを開始するステップと、
広告画像の間近にある前記焦点の位置を認識するステップと、
前記広告画像を全画面表示用にレンダリングすることを開始するステップと、
を行うように前記テレビ用クライアントデバイスに命令するコンピューター実行可能命令をさらに備える、請求項１１に記載の１つまたは複数のコンピューター可読メディア。